(57)【要約】【課題】光により様々な空間に画像などの情報を表示するユニットを提供する。【解決手段】方形状で透過型の表示部１０と、表示部１０の一辺１１のみに沿って配置された制御基板部２０とを有し、表示部１０は、ドットマトリクス状に配置された複数の発光部４０と、制御基板部２０から一辺１１に垂直な第１の方向１０１に一辺１１を横切るように引き出された複数の配線部５０とを含み、複数の配線部５０は、複数の発光部４０のそれぞれの第１の電極部４１を第１の方向１０１に接続する複数の第１の配線部５１と、複数の発光部４０のそれぞれの第２の電極部４２を一辺１１に平行な第２の方向１０２に接続するように第１の方向１０１に対し折り曲げられた複数の第２の配線部５２とを含む表示ユニット１である。【選択図】図２
2015166756.tif 000002
【特許請求の範囲】
【請求項１】
方形状で透過型の表示部と、
前記表示部の一辺のみに沿って配置された制御基板部とを有する表示ユニットであって、
前記表示部は、ドットマトリクス状に配置された複数の発光部と、
前記制御基板部から前記一辺に垂直な第１の方向に前記一辺を横切るように引き出された複数の配線部とを含み、
前記複数の配線部は、前記複数の発光部のそれぞれの第１の電極部を前記第１の方向に接続する複数の第１の配線部と、
前記複数の発光部のそれぞれの第２の電極部を前記一辺に平行な第２の方向に接続するように前記第１の方向に対し折り曲げられた複数の第２の配線部とを含む、表示ユニット。
【請求項２】
請求項１において、
前記表示部は、前記複数の発光部を搭載する透光性のパネルを含む、表示ユニット。
【請求項３】
請求項２において、
前記それぞれの第１の電極部は、第１の接続端子を含み、
前記それぞれの第２の電極部は、第２の接続端子を含み、
前記パネルは、前記第１の接続端子が前記第１の配線部により縫い込まれるように前記第１の接続端子を挟む位置に形成された一組の第１の孔部と、
前記第２の接続端子が前記第２の配線部により縫い込まれるように前記第２の接続端子を挟む位置に形成された一組の第２の孔部とを含む、表示ユニット。
【請求項４】
請求項３において、
前記第１の配線部および前記第２の配線部は裸電線である、表示ユニット。
【請求項５】
請求項１において、
前記表示部は、前記複数の発光部のそれぞれが前記複数の配線部のそれぞれの交点に配置された全体がネット状の表示体を含む、表示ユニット。
【請求項６】
請求項１ないし５のいずれかにおいて、
前記制御基板部が前記表示部の背後に収納されるように前記一辺に沿って設けられたボックスをさらに有し、
前記複数の配線部のそれぞれは、前記一辺に沿って折り曲げられた部分を含む、表示ユニット。
【請求項７】
請求項１ないし６のいずれかにおいて、
前記複数の発光部のそれぞれは、フルカラーＬＥＤを含む、表示ユニット。
【請求項８】
請求項１ないし７のいずれかに記載の表示ユニットを複数有する表示装置であって、
前記一辺に垂直な二辺のそれぞれが中心になるように複数の前記表示部が組み合わされた表示領域を含む、表示装置。
【発明の詳細な説明】
【技術分野】
【０００１】
本発明は、表示ユニットおよび表示装置に関するものである。
【背景技術】
【０００２】
特許文献１には、建物の壁面等にＬＥＤ等の発光体を複数取り付け、個々の発光体を所定の発光タイミングで点滅することでイルミネーション発光を行う発光装置において、直線、曲線、ドットマトリクス表示面を構成可能で、しかも、点滅制御する上で最小の発光単位となる発光体の配置位置・配置間隔を調整可能な発光装置を提供することが記載されている。そのため、特許文献１には、ランプケース内にＬＥＤを収容してなる発光体と、板状部材の一方の面に発光体を取付可能にすると共に、他方の面を壁面等へ固定可能にした取付ベースとを備え、取付ベースに、発光体を固定保持する係合部を一定間隔で複数設け、発光体を適宜間隔で着脱自在に取り付けることができるようにしたこと、また、複数の発光体を可撓性ケーブルで接続して発光ユニットを形成し、複数の発光ユニット同士を接続端子により接続するようにしたこと、また、発光体に、取付ベース用の係合部と、壁面等へ直接固定するための固定部とを設けたことが記載されている。
【先行技術文献】
【特許文献】
【０００３】
【特許文献１】特開２００５−３２６４９号公報
【発明の概要】
【発明が解決しようとする課題】
【０００４】
光により画像などを表示するユニットが求められている。
【課題を解決するための手段】
【０００５】
本発明の態様の１つは、方形状で透過型の表示部と、表示部の一辺のみに沿って配置された制御基板部とを有する表示ユニットである。表示部は、ドットマトリクス状に配置された複数の発光部と、制御基板部から一辺に垂直な第１の方向に一辺を横切るように引き出された複数の配線部とを含み、複数の配線部は、複数の発光部のそれぞれの第１の電極部を第１の方向に接続する複数の第１の配線部と、複数の発光部のそれぞれの第２の電極部を一辺に平行な第２の方向に接続するように第１の方向に対し折り曲げられた複数の第２の配線部とを含む。
【０００６】
この表示ユニットでは、複数の配線部が制御基板部から表示部の一辺を横切るように引き出されており、制御基板部を表示部の一辺のみに沿って配置できる。したがって、複数の表示ユニットをその一辺の延長方向、すなわち第２の方向に接続することにより、複数の表示部をシームレスに接続できる。このため、隣接する表示部同士の接続辺において複数の発光部のドットピッチがずれることを抑制しやすい。したがって、表示部のドットマトリクスを第２の方向に等ピッチのまま拡大しやすい。
【０００７】
表示部は、複数の発光部を搭載する透光性のパネルを含むことが望ましい。それぞれの第１の電極部は、第１の接続端子を含み、それぞれの第２の電極部は、第２の接続端子を含み、パネルは、第１の接続端子が第１の配線部により縫い込まれるように第１の接続端子を挟む位置に形成された一組の第１の孔部と、第２の接続端子が第２の配線部により縫い込まれるように第２の接続端子を挟む位置に形成された一組の第２の孔部とを含むことが望ましい。第１の配線部および第２の配線部は裸電線であることが望ましい。
【０００８】
表示部は、複数の発光部のそれぞれが複数の配線部のそれぞれの交点に配置された全体がネット状の表示体を含むものであってもよい。
【０００９】
表示ユニットは、制御基板部が表示部の背後に収納されるように一辺に沿って設けられたボックスをさらに有し、複数の配線部のそれぞれは、一辺に沿って折り曲げられた部分を含むことが望ましい。表示部のドットマトリクスを第２の方向および第１の方向を含めた四方向に等ピッチのまま拡大しやすい。
【００１０】
複数の発光部のそれぞれは、フルカラーＬＥＤを含むことが望ましい。
【００１１】
本発明の他の態様の１つは、上記の表示ユニットを複数有する表示装置であって、一辺に垂直な二辺のそれぞれが中心になるように複数の表示部が組み合わされた表示領域を含む表示装置である。
【図面の簡単な説明】
【００１２】
【図１】表示ユニットを用いたディスプレイ装置の概要を示す斜視図。
【図２】表示ユニットの概要を示す斜視図。
【図３】表示ユニットを、表示ユニットを構成する主なパーツに展開して示す図。
【図４】制御基板部の概要を示す斜視図。
【図５】制御基板部を、制御基板部を構成する主なパーツに展開して示す図。
【図６】表示ユニットの概要を示す正面図。
【図７】複数の配線部の配線パターンの概要を示す図。
【図８】発光部の概要を示す正面図。
【図９】発光部を、発光部を構成する主なパーツに展開して示す図。
【図１０】発光部の概要を示す背面図。
【図１１】表示ユニットを用いた異なるディスプレイ装置の概要を示す斜視図。
【図１２】異なる表示ユニットの概要を示す正面図。
【図１３】さらに異なる表示ユニットを各方向から示す図であり、図１３（ａ）は表示ユニットの概要を示す正面図、図１３（ｂ）は表示ユニットの概要を示す側面図。
【図１４】発光部の概要を示す斜視図。
【図１５】発光部を、発光部を構成する主なパーツに展開して示す図。
【図１６】発光部のXVI−XVI断面図（図１５のXVI−XVI断面）。
【発明を実施するための形態】
【００１３】
図１に、本発明の実施形態に係る表示ユニット１を用いたディスプレイ装置１００の概要を斜め方向から見た図により示している。図２に、表示ユニット１の概要を斜め方向から見た図により示している。このディスプレイ装置（表示装置）１００は、縦に４段、横に２列並んだ８つの表示ユニット１と、これらの表示ユニット１により形成された縦長で長方形状の表示領域１０ａとを備えている。各表示ユニット１は、方形状で透過型の表示部１０と、表示部１０の一辺１１に沿って配置された制御基板部２０とを備えている。本例では、各表示ユニット１の制御基板部２０が左右両側に位置するように組み合わされている。表示部１０のサイズの一例は、高さ（縦）が４３ｃｍ、幅（横）が４３ｃｍの正方形状である。８つの表示部１０を組み合わせて構成された表示領域１０ａのサイズの一例は、高さが１７２ｃｍ、幅が８６ｃｍの長方形状である。
【００１４】
表示ユニット１の表示部１０は、透明アクリル製のパネル６０と、パネル６０の表面（第１の面、パネル表面）６０ａにドットマトリクス状に配置（配列）された複数の発光部４０と、複数の発光部４０のそれぞれを電気的に接続する複数の配線部５０とを備えている。本例では、パネル表面６０ａが透過型の表示面１０を構成している。複数の配線部５０は、行方向（横方向、左右方向）１０１に並んだ複数の発光部４０のそれぞれを接続する複数の第１の配線部（配線群）５１と、列方向（縦方向、上下方向）１０２に並んだ複数の発光部４０のそれぞれを接続する複数の第２の配線部（配線群）５２とを備えている。本例の表示ユニット１では、縦横のピッチｐが等間隔（本例では２７ｍｍピッチ）に配列された各行１６個、各列１６個の計２５６個の発光部４０のそれぞれが、配線部５１および５２により並列に接続されている。
【００１５】
表示ユニット１の制御基板部２０は、ドライバ基板２１と、ドライバ基板２１および複数の配線部５０を電気的に接続する中継基板２２と、ドライバ基板２１に実装された制御ユニット９０とを備えている。制御ユニット９０は、ＣＰＵ、メモリなどのコンピュータとして汎用的なハードウェア資源を含み、ＲＡＭなどのメモリに格納されたプログラム（プログラム製品）により各発光部４０の発光を制御する各種機能を備えている。以下で説明する制御ユニット９０の各機能（各ユニット）は、プログラムまたは適当な回路により制御ユニット９０に実装されている。制御ユニット９０は、表示部１０の１行または複数行に対し電力（信号）を供給する行制御ユニット９１と、表示部１０の１列または複数列に対し電力を供給する列制御ユニット９２とを備えている。制御ユニット９０は、パーソナルコンピュータなどのホスト装置と通信する機能を備えていることが望ましい。また、制御ユニット９０は、ホスト装置を兼ねたパーソナルコンピュータに実装されていてもよく、制御ユニット９０としての機能は適当なソフトウェア（プログラム製品）により提供することが可能である。
【００１６】
この表示ユニット１では、行制御ユニット９１により通電された行上の発光部４０のうち、列制御ユニット９２により通電された列上の発光部４０を発光（点灯）させることにより、各発光部４０の発光のタイミングを独立して制御できる。このため、表示部１０および複数の表示部１０を組み合わせた表示領域１０ａに対し、多種多様な文字、画像、模様などの情報を表示（表現）、演出できる。したがって、屋内、屋外などの様々な空間において展示用、観賞用、空間演出用、照明用、広告宣伝用、情報伝達用などの多種多様な用途に用いることが可能なディスプレイ装置１００を提供できる。
【００１７】
図３に、表示ユニット１を、表示ユニット１を構成する主なパーツに展開した図により示している。図４に、制御基板部２０の概要を斜め方向から見た図により示している。図５に、制御基板部２０を、制御基板部２０を構成する主なパーツに展開した図により示している。表示ユニット１は、表示部１０および制御基板部２０を収容可能な透明アクリル製のカバーユニット（ハウジング）３０を備えている。カバーユニット３０は、パネル６０を第１の方向１０１にスライドさせて取り付け可能な方形状のフレーム３１と、フレーム３１の一端（一辺）がパネル６０の裏面（第２の面、パネル裏面）６０ｂの側に向けて直角に折れ曲がるように設けられた中空のボックス３２と、ボックス３２を第１の方向１０１から開閉可能に覆うサイドカバー３３とを備えている。この表示ユニット１では、制御基板部２０が表示部１０の一辺１１に沿って背面側に向けて直角に折れ曲がるように配置されている。したがって、制御基板部２０をボックス３２に収納することにより、制御基板部２０をパネル裏面６０ｂの側に配置できる。
【００１８】
制御基板部２０のドライバ基板２１は、電源端子２１ａと、外部接続用の入出力端子２１ｂと、中継基板２２との接続用コネクタ２１ｃとを備えている。中継基板２２は、複数の配線部５０のそれぞれの給電側の端部（給電端）５０ａが接続される複数の給電端子２２ａを備えている。この表示ユニット１では、ドライバ基板２１および中継基板２２が、二次元方向に延びる表示面１０に対し直角な方向（三次元方向）に折り曲げられている。したがって、各配線部５０は、給電端５０ａを給電端子２２ａに接続するために表示面１０の一辺（端辺）１１に沿って折り曲げられた部分５０ｂを備えている。
【００１９】
このように、この表示ユニット１では、全ての配線群５０が制御基板部２０から左辺（一辺）１１に垂直な左右方向（第１の方向）１０１に向けて左辺１１を横切るように引き出されている。このため、制御基板部２０を表示部１０の４つの辺、すなわち左辺１１、右辺１２、上辺１３および下辺１４のうち、左辺１１のみに沿って配置できる。したがって、複数の表示部１０を左辺１１の延長方向である上下方向（第２の方向）１０２にシームレスに接続できる。このため、上下方向１０２に隣接する表示部１０同士の接続辺となる上辺１３および下辺１４において複数の発光部４０同士のピッチがずれることを抑制できる。したがって、複数、特に３つ以上の表示ユニット１を左辺１１の延長方向に接続することにより、表示部１０のドットマトリクスを上下方向１０２に等ピッチのまま拡大できる。
【００２０】
さらに、この表示ユニット１では、制御基板部２０が表示部１０に対し背面側に向けて直角に折り曲げられている。したがって、左辺１１に垂直な左右方向１０１に隣接する表示部１０同士の接続辺となる左辺１１および右辺１２において複数の発光部４０同士のピッチがずれることも抑制できる。このため、表示部１０の四辺１１〜１４のいずれかを接続辺とした場合であっても複数、特に３つ以上の表示部１０をシームレスに接続できる。したがって、四方向（上下左右方向）の全てにドットマトリクスを拡大可能な表示ユニット１を提供できる。
【００２１】
図６に、表示ユニット１の概要を正面方向（パネル表面６０ａの側）から見た図により示している。図７に、複数の配線部５０の配線パターンの概要を示している。図８に、発光部４０の概要を正面方向から見た図により示している。図９に、発光部４０を、発光部４０を構成する主なパーツに展開した図により示している。図１０に、発光部４０の概要を背面方向（パネル裏面６０ｂの側）から見た図により示している。
【００２２】
図８および図９に示すように、表示ユニット１の発光部４０は、フレキシブルタイプの基板７０と、基板７０に実装されたフルカラー対応のＬＥＤモジュール（光源部）８０とを備えている。ＬＥＤモジュール８０は、赤色の発光素子８０ｒと、緑色の発光素子８０ｇと、青色の発光素子８０ｂとを備えている。本例のＬＥＤモジュール８０は、アノード（第２の電極部、第２の極端子）４２の側がコモンとなったアノードコモン端子８２と、カソード（第１の電極部、第１の極端子）４１の側がＲＧＢにそれぞれ分かれたＲカソード端子８１ｒ、Ｇカソード端子８１ｇおよびＢカソード端子８１ｂとを備えている。
【００２３】
発光部４０の基板７０は、アノードコモン端子８２を搭載するアノードコモンランド（第２の接続端子）７２と、Ｒカソード端子８１ｒを搭載するＲカソードランド７１ｒと、Ｇカソード端子８１ｇを搭載するＧカソードランド（第１の接続端子）７１ｇと、Ｂカソード端子８１ｂを搭載するＢカソードランド７１ｂとを備えている。基板７０のランド７１ｒ、７１ｇ、７１ｂおよび７２は、基板表面７０ａの四方の端部７６〜７９にそれぞれ表れるように４回回転対称の位置に配置されている。
【００２４】
図６ないし図８に示すように、各第１の配線群５１は、各Ｒカソードランド７１ｒを接続するＲコモン配線５１ｒと、各Ｇカソードランド７１ｇを接続するＧコモン配線５１ｇと、各Ｂカソードランド７１ｂを接続するＢコモン配線５１ｂとを備えている。各第２の配線群５２は、各アノードコモンランド７２を接続するコモン配線５２ｃを備えている。
【００２５】
コモン配線５１ｒ、５１ｇ、５１ｂおよび５２ｃのそれぞれは、中継基板２２の各給電端子２２ａから表示部１０の一辺１１を垂直に横切るように引き出されている。コモン配線５１ｒ、５１ｇおよび５１ｂのそれぞれは、各行に並んだ各発光部４０のカソードランド７１ｒ、７１ｇおよび７１ｂのそれぞれを行方向（第１の方向）１０１に接続している。コモン配線５２ｃは、各列に並んだ各発光部４０のアノードコモンランド７２のそれぞれを列方向（第２の方向）１０２に接続するように、各列において順次、行方向１０１から列方向１０２に向けて直角に折り曲げられている。すなわち、各コモン配線５２ｃは、各行のコモン配線５１ｒ、５１ｇおよび５１ｂに沿って行方向１０１に延びるように各行に１本ずつ振り分けられており、さらに、各行に振り分けられた各コモン配線５２ｃが各列に向けて１本ずつ振り分けられている。このため、複数の配線群５０が行方向１０１および列方向１０２に均等に分散され、表示部１０に配線の束や偏りが形成されることを抑制できる。したがって、配線群５０を目立ちにくくでき、さらに、表示部１０のドットピッチがずれることも抑制できる。
【００２６】
図６、図８および図１０に示すように、表示ユニット１のパネル６０は、表面６０ａおよび裏面６０ｂを貫く複数の孔部６５を備えている。複数の孔部６５は、基板７０のＧカソードランド（第１の接続端子）７１ｇを挟む位置に形成された一組の第１の孔部６１（６１ａ、６１ｂ）と、基板７０のアノードコモンランド（第２の接続端子）７２を挟む位置に形成された一組の第２の孔部６２（６２ａ、６２ｂ）とを備えている。
【００２７】
この表示ユニット１では、基板７０のランド７１ｒ、７１ｇ、７１ｂおよび７２が、基板表面７０ａの下端部７９、左端部７６、上端部７８および右端部７７にそれぞれ９０度ピッチで表れている。コモン配線５１ｂおよび５１ｒは、パネル表面６０ａの側を左右方向１０１に平行に走りながらランド７１ｂおよび７１ｒにそれぞれはんだ付けされている。コモン配線５１ｇは、パネル裏面６０ｂの側を左右方向１０１に走りながら、第１の孔部６１ａを介してパネル表面６０ａの側に表れ、ランド（第１の接続端子）７１ｇにはんだ付けされてから、第１の孔部６１ｂを介してパネル裏面６０ｂの側に戻る。コモン配線５２ｃは、パネル裏面６０ｂの側を上下方向１０２に走りながら、第２の孔部６２ａを介してパネル表面６０ａの側に表れ、ランド（第２の接続端子）７２にはんだ付けされてから、第２の孔部６２ｂを介してパネル裏面６０ｂの側に戻る。
【００２８】
このように、この表示ユニット１では、発光部４０がコモン配線５１ｇおよび５２ｃによりパネル６０に縫い込まれるように取り付けられている。コモン配線５１ｂおよび５１ｒの間を走るコモン配線５１ｇは、ランド７１ｇとの接続箇所においてのみパネル表面６０ａの側に表れ、それ以外の箇所においてはパネル裏面６０ｂの側に配置されている。また、コモン配線５１ｂおよび５１ｒとそれぞれ交差するコモン配線５２ｃとは、ランド７２との接続箇所においてのみパネル表面６０ａの側に表れ、それ以外の箇所においてはパネル裏面６０ｂの側に配置されている。さらに、コモン配線５１ｇおよび５２ｃは、一組の孔部６１および６２を通ることにより、それぞれの孔部６１および６２に当たり位置決め固定されている。このため、各コモン配線に裸電線（スズめっき線）を用いた場合であってもコモン配線同士の短絡を抑制できる。したがって、各コモン配線には裸電線を用いることが望ましく、被覆を剥がす手間を省略でき、表示ユニット１の製造効率を向上できる。コモン配線５１ｇは、コモン配線５２ｃとの交差箇所、すなわち基板表面７０ａの右端部７７の反対側の位置において接着剤などにより基板裏面７０ｂに固定されていることが望ましい。コモン配線５１ｇがコモン配線５２ｃに対し振動などで接触することを抑制できる。
【００２９】
図１１に、表示ユニット１を用いた異なるディスプレイ装置１００ａの概要を斜め方向から見た図により示している。このディスプレイ装置１００ａは、上述のディスプレイ装置１００とは異なり、右側の列に積み重ねられた４段の表示ユニット１の各制御基板部２０が表示領域１０ａの中央の背後（パネル裏面６０ｂの側）に配置されている。上述のとおり、この表示ユニット１では、表示部１０の四辺１１〜１４のいずれかを接続辺として組み合わせた場合であっても、発光部４０のドットピッチをずらすことなく表示部１０を四方に延長（拡大）できる。したがって、制御基板部２０の向きを気にすることなく、複数の表示ユニット１を所望の方向に、所望の段数（列数）組み合わせて、所望の形状、サイズの表示領域１０ａを形成可能なディスプレイ装置を提供できる。
【００３０】
図１２に、異なる表示ユニット１ａの概要を正面方向（パネル表面６０ａの側）から見た図により示している。この表示ユニット１ａのパネル６０も、表面６０ａおよび裏面６０ｂを貫く複数の孔部６５を備えている。なお、以降において、上記の実施形態と共通の構成については共通の符号を付して説明を省略する。
【００３１】
複数の孔部６５は、基板７０のＧカソードランド（第１の接続端子）７１ｇを挟む位置に形成された一組の第１の孔部６１（６１ａ、６１ｂ）と、基板７０のアノードコモンランド（第２の接続端子）７２を挟む位置に形成された一組の第２の孔部６２（６２ａ、６２ｂ）と、基板７０のＢカソードランド７１ｂを挟む位置に形成された一組の第３の孔部６３（６３ａ、６３ｂ）と、基板７０のＲカソードランド７１ｒを挟む位置に形成された一組の第４の孔部６４（６４ａ、６４ｂ）とを備えている。本例では、コモン配線５１ｇおよび５２ｃに加えて、コモン配線５１ｂおよび５１ｒを一組の孔部６３および６４に通すことにより、それぞれの孔部６１および６２に当てて位置決め固定できる。したがって、各コモン配線の位置ずれや撓みなどをいっそう抑制できる。
【００３２】
図１３に、さらに異なる表示ユニット１ｂの概要を各方向から見た図により示している。図１３（ａ）は表示ユニット１ｂを正面方向から見た図であり、図１３（ｂ）は表示ユニット１ｂを側面方向から見た図である。この表示ユニット１ｂの表示部１０は、複数の発光部４０と、複数の配線群（被覆電線群）５０と、複数の発光部４０のそれぞれが複数の被覆電線群５０のそれぞれの交点に配置された全体がネット状の表示体（ＬＥＤネット）１５０とを備えている。本例では、ＬＥＤネット１５０が透過型の表示部１０を構成している。本例の表示ユニット１ｂでは、縦横のピッチｐが等間隔（本例では５０ｍｍピッチ）に配列された複数の発光部４０のそれぞれが、被覆電線群５１および５２により並列に接続されている。
【００３３】
複数の被覆電線群５０の各第１の被覆電線群５１は、３本のコモン配線５１ｒ、５１ｇおよび５１ｂを備えており、各第２の被覆電線群５２は、２本のコモン配線５２ｃを備えている。したがって、複数の発光部４０のそれぞれを縦横方向にほぼ等しい引っ張り強度により支持できる。このため、ＬＥＤネット１５０のネット形状が歪むことを抑制できる。したがって、表示部１０のドットピッチがずれることを抑制できる。
【００３４】
図１４に、表示ユニット１ｂの発光部４０の概要を斜め方向から見た図により示している。図１５に、発光部４０を、発光部４０を構成する主なパーツに展開した図により示している。図１６に、発光部４０をXVI−XVI断面（図１５のXVI−XVI断面）から見た図により示している。この表示ユニット１ｂの発光部４０は、基板７０と、基板７０に実装されたフルカラー対応のＬＥＤモジュール８０と、基板７０およびＬＥＤモジュール８０を一体に収容する透光性のケース部材１１０とを備えている。
【００３５】
このケース部材１１０は、前方カバー部材１２０と、前方カバー部材１２０に着脱可能に取り付けられる後方カバー部材１３０とを備えている。前方カバー部材１２０は、ＬＥＤモジュール８０からの光を出射する発光部１２０ａと、ＬＥＤモジュール８０および基板７０を収容可能な内部空間１２０ｓを形成する周壁部１２０ｂと、十字方向に交差する被覆電線群５１および５２を内部空間１２０ｓに引き込むために周壁部１２０ｂの四方に形成された切り欠き部１２０ｃとを備えている。
【００３６】
ケース部材１１０の後方カバー部材１３０は、各切り欠き部１２０ｃに沿って内部空間１２０ｓに導かれた各コモン配線を両側から挟んで固定する部分１３０ａを備えている。固定する部分１３０ａは、切り欠き部１２０ｃの面積を両側から狭めるように形成された一組の爪部１３０ｂを備えている。このため、各コモン配線は一組の爪部１３０ｂにより僅かに屈曲されて固定される。したがって、各コモン配線に対し十字方向に引張力（外力）が作用した場合であっても、四方の各切り欠き部において外力を分散させやすい。このため、ケース部材１１０の内部空間１２０ｓの外側において外力を効率よく吸収または遮断できる。したがって、外力が被覆電線群５１および５２を介して内部空間１２０ｓに伝達することを抑制でき、ＬＥＤモジュール８０や基板７０への影響を低減できる。
【００３７】
なお、本発明はこれらの実施形態に限定されず、特許請求の範囲に規定されたものを含む。また、各請求項は互いに独立であってもよい。上記の発光部４０では、光源部８０としてＬＥＤを用いているが、有機ＥＬ、半導体レーザーなどの他の発光素子を用いることも可能である。
【符号の説明】
【００３８】
１、１ａ、１ｂ  表示ユニット
１００、１００ａ  ディスプレイ装置（表示装置）
【図１】
2015166756.tif 000003
【図２】
2015166756.tif 000004
【図３】
2015166756.tif 000005
【図４】
2015166756.tif 000006
【図５】
2015166756.tif 000007
【図６】
2015166756.tif 000008
【図７】
2015166756.tif 000009
【図８】
2015166756.tif 000010
【図９】
2015166756.tif 000011
【図１０】
2015166756.tif 000012
【図１１】
2015166756.tif 000013
【図１２】
2015166756.tif 000014
【図１３】
2015166756.tif 000015
【図１４】
2015166756.tif 000016
【図１５】
2015166756.tif 000017
【図１６】
2015166756.tif 000018